(57)【要約】　　　（修正有）【課題】併せ梁の構成材とその接合構造と関連構造において，生活空間構成材として応用できる，多様性の高いシステムパーツを提供する。【解決手段】細長材１とパネル２の組み合わせ、梁の接合箇所を両端各一カ所に集約し，雌ねじボルト４と雄ネジ４１のセットによる，接合金物３への掛けつり方式とし，ボルト押さえ５，ネジ４１を締めて併せ梁を着脱自在に固定した。次に，併せ梁の間隙に目地材，目地パネルなどを挟み込んで垂直面を形成して間仕切りなどとし，さらに，この区画内の梁の天端に水平面用パネルなどを落とし込んで床，棚，天井などの水平面を構成した。【選択図】図１
2004011404.tif 000002
【特許請求の範囲】
【請求項１】
（イ）細長材（１）とパネル（２），または細長材（１）と（１）をそれぞれセットで使用する木または合成木梁で，細長材（１）は両端に貫通穴（４２）各１個を設け，パネルは四隅に貫通穴（４２）各１個を設け，それぞれ必要に応じ周辺部に他の併せ梁用接合金物取り付け誘導穴（３２）を所定のピッチで設けた併せ梁
（ロ）前面を解放（３３）し，背面中心部に柱，梁，壁面などへの接合用貫通穴（３４）を設け，両側面は中央部で上部前面から下方にかけ斜めに欠き込み直線を形成して中心で半円のボルト受け部（３５）をもつ，慨，コの字型接合金物（３）と，これを柱または梁へ接合固定させるためのネジ（３１）
（ハ）細長材（１）とパネル（２）または細長材（１）と（１）を，その両端または四隅の貫通穴（４２）で通し，接合金物（３）のボルト受け部（３５）へ落とし込み，接合固定させるための雌ねじつきボルト（４）と雄ネジ（４１）セット
（ニ）側面中心が半円で下方にかけ直線を形成し末広がりのかき取り部（５１）をもち，背部にネジ頭避け溝（５２）をもつボルト押さえ（５），または（５３）
（ホ）細長材（１）とパネル（２）または細長材（１）と（１）の間隙でこれを互いに連結補強し，かつ，併せ梁用接合金物を接合固定させるため所定の位置にねじ穴（３２ａ）を設けた補強固定金物（６）
以上の部材で構成され，雌ねじつきボルト（４）と雄ネジ（４１）セットの締め付けにより細長材（１）とパネル（２）または細長材（１）と（１）を柱、梁、壁面などへ接合固定させるための併せ梁の構成とその接合構造。
【請求項２】
細長材（１）とパネル（２）または細長材（１）と（１）の間の接合金物（３）及び補強固定金物（６）を，併せ梁の上端（１ａ）または（２ａ），下端（１ｂ）または（２ｂ）より浅く設定して隙間の凹部（１０ａ）凸部（１０ｂ）を形成し，これに目地材（１１）または目地用パネル（２１）などをはめ込み垂直面（１０）を構成し，雌ねじつきボルト（４）と雄ネジ（４１）セットの締め付けにより，細長材（１）とパネル（２）または細長材（１）と（１）を柱，梁，壁面などへ接合固定させるための請求項１の併せ梁の構成とその接合構造と関連構造。
【請求項３】
請求項２の目地材（１１）または目地用パネル（２１）を併せ梁の間隙にはめ込み適当に囲いをつくり，雌ねじつきボルト（４）と雄ネジ（４１）セットを締めつけ固定させ，その間の併せ梁（１）または（２）の上端部（１ａ）または（２ａ）へ水平面用パネル（２２）または板材（１２）を落とし込んで，またははめ込んでイス（７１），机（７２），床（７３），棚（７４），天井（７５）など水平面（７）を形成する請求項１，２の併せ梁の構成とその接合構造と関連構造。
【請求項４】
請求項１のパネル（２）及び目地用パネル（２１）を木枠または合成木枠（８）とし，枠内に木板（８１），合板（８２），ボード（８３），ガラス板（８４），プラスチック板（８５），複合石板（８６），ネット（８７），ロッド（８８）簀の子板またはトラレス（８９）などの材料をはめ込んで構成する請求項１，２，３の併せ梁の接合構造と関連構造。
【請求項５】
請求項３の水平面用パネル（２２）を木板（８１），合板（８２），ボード（８３），ガラス板（８４），プラスチック板（８５），複合石板（８６），ネット（８７），ロッド（８８），簀の子板またはトラレス（８９）などとした請求項１，２，３，４の併せ梁の構成とその接合構造と関連構造。
【請求項６】
柱（９）においては，木または合成木（９１），または角パイプ（９２），または２枚１セットの木または合成木細長材（９３）の間隙に長尺の角パイプ（９４），または補強固定金物（６）を形成し，それぞれ，あらかじめ所定のピッチと所定の位置に接合金物の背面貫通穴（３４）に対応する誘導穴（３２），またはネジ穴（３２ａ），またはねじ込み穴（３２ｂ）を設けた柱などとした請求項１，２，３，４，５の併せ梁の構成とその接合構造と関連構造。
【発明の詳細な説明】
【０００１】
【発明の属する技術分野】
本発明は主に仮設用の組立建物，建具，造作物，家具，什器，備品などの組立における，梁材の構成とその接合構造，さらに関連する壁面材，床面材などの構成と関連構造に関するものである。
【０００２】
【従来の技術】
発明者は，先に同様の案件の発明開発に関わったことがある。
それは要約すると，図１７のように主材は梁，柱ともにそれぞれ２枚の細長材（１００）と（１００），（２００）と（２００）による併せ材で構成され，接合金物（３００）は、その両側面上部のかき取り部（３０１）と直下の丸穴（３０２）からなり，一方併せ梁は２本の細長材の両端にはそれぞれ２カ所の貫通穴（１０１），（１０２）を設け，まず２本の細長材の上部貫通穴（１０１）にボルト（４０１）を通しナット（５００）付けし，適当な間隙をつくって，ボルト部分を先の接合金物のボルト受け部（３０１）に落とし込んで仮締めした後，直下の丸穴（３０２）に２本目のボルト（４０２）を細長材の下部の貫通穴（１０２）を通して差し込みナット（５００）締めし，その後順次本締めするといった手順であった。
しかし，実際には柱と梁，または梁どうしに微妙な水平垂直度の歪みが生じ，工数が増えると，歪みの累積が下部の接合金物の丸穴（３０２）とこれに対応する細長材の貫通穴（１０２）に影響し，相互に段差が生じ２本目のボルト（４０２）が通らない，スムーズにいかないなど。
さらにはボルトのねじ部分（４０３）に直接加重がかかるため，摩擦軋轢によりねじ戻しなどの組み替え作業が円滑にいかないなど。
また，ボルトナットの締め過ぎによる金物の開放部分（３０３）の挫屈などの欠点が指摘された。
また，六角ボルトナットの出っ張りが用途範囲を狭める結果にもなり，細長材だけの組み合わせによる展開の単調さも，発展性を阻害する要因と判断される。
【０００３】
【発明が解決しようとする課題】
本発明は，２１世紀の最大の課題となる環境問題に関連して，従来の使い捨ての考えを廃し，資源を最大限に利用する循環型のシステム材の開発を心掛けた。そこで本発明は，架構構造において，荷重の原理から上方への動きに対する固定要件を若干緩和し，仮設の概念を取り入れ，着脱性よく繰り返しの使用に可変的に対応しうる併せ梁の部材構成と接合構造に重点を置き，合理的に，確実に，スムーズに，快適にをモットーに，かつ，関連構造では壁，間仕切りなどの垂直面，床，棚，天井などの水平面が併せ梁の構造特性を生かして形成され，インナー，アウターを問わずあらゆるジャンルへの生活空間構成材として適用され応用されるシステムパーツの実現を目指した。個人の嗜好と創作設計にも配慮した。
【０００４】
【課題を解決するための手段】
まず，請求項１にあっては，併せ梁の構成を従来の細長材どうしの組み合わせに加え，細長材（１）とパネル（２）の組み合わせを追加した。
さらに，細長材はそれぞれ，両端の柱，梁，壁面などへの連結接合用の貫通穴を，従来各２個としたものを各１個（４２）に減らし，新たに加えたパネルは四隅に各１個（４２）とした。柱，梁，壁面などへの連結接合用誘導穴（３２）は従来通り所定のピッチで設けられる。
次に，柱，梁，壁面などへの連結接合構造においては，従来は接合対象を特定の併せ柱，併せ梁に限定したが，今回は対象を広げ選択をより自由にし，かつ，接合金物の種類を単純化した。
接合金物（３）の本体の構造にあっては，両側面の固定用丸穴を省略し，従来上部に位置したボルト受部（３５）を中心に据え一カ所に集約し兼用させた。
ボルトナットは雌ねじつきボルト（４）と雄ネジ（４１）のセットとし，新たにワンタッチ性のボルト押さえ（５）または（５３）を追加した。
次に，請求項２にあっては，併せ梁の間の接合金物（３）及び補強固定金物（６）を併せ梁の上端（１ａ）または（２ａ）及び下端（１ｂ）または（２ｂ）より浅く設定して隙間の凹部（１０ａ），凸部（１０ｂ）を形成し，これに目地材（１１）または目地用パネル（２１）をはめ込み，雌ねじつきボルト（４）と雄ネジ（４１）セットで締め付け固定させることとし，併せ梁の間隙部に目地及び垂直面（１０）を構成した。
請求項３にあっては，請求項２の目地材（１１）または目地用パネル（２１）を併せ梁の間隙にはめ込んで適当な部分を囲い込み，その間の併せ梁の上端部（１ａ）または（２ａ）へ水平面用パネル（２２）または板材（１２）を落とし込んで，またははめ込んで水平面（７）を構成した。
請求項４にあっては，請求項１，２のパネル（２）または目地用パネル（２１）を木枠または合成木枠（８）とし，その中にガラス板（８４）などの各種材質形状板をはめ込み垂直面材（１０）を多様化した。
さらに，請求項５にあっては，請求項３のパネル（２２）を簀の子板またはトラレス（８９）など各種材質形状板とし，水平面の用途範囲を広げた。
また，請求項６にあっては施工性などを考慮して，柱（９）の種類を（９１），（９２），（９３），（９４）などとし、誘導穴（３２），ネジ穴（３２ａ）ねじ込み穴（３２ｂ）などとした。また，補強固定金物（６）の柱への兼用を提案した。
【０００５】
【発明の実施の形態】
次に本発明の実施形態を説明する。図１，２は本発明の請求項１の構成部材の配置斜視図，図３は本発明の請求項２，３の構成部材の配置斜視図，図４は同収まり図，図５は本発明の請求項２のパネルの収まり図，図６は本発明の請求項４の構成部材斜視図，図７は本発明の請求項４の各種材料の斜視図，図８は本発明の請求項５の各種材料の斜視図，図９は本発明の各種柱の斜視図，図１０は本発明の請求項１の接合部要点平面図，図１１は同１，２の接合部要点正面図，図１２は同１の接合部要点左側面図，図１３は同１の接合部要点底面図，図１４は同１，２の接合部要点背面図，図１５は同１の接合部右側面図，図１６は請求項１，２の接合部要点断面図，図１７は従来品の説明用参考図である。
【０００６】
本発明の考え方の原点は，環境資源保護の立場から間伐材などで発生する小断面材の有効利用と，高度成長によって長年にわたって開発され大量生産されてきた経済的な一般市販の各種材料との組み合わせ有効利用である。まず，２枚の小断面材を補強材により適当なピッチで一体化することにより，すなわち複合化により中断面材と同様の剛性を発揮できる。その上複合化による構造上の利点を接合構造などに生かすことができる点である。２枚の細長材による併せ梁と接合構造の基本構想は本発明の発想の原点である。
【０００７】
さて，次に本発明は２枚の細長材の併せ梁の一方をパネルに置き換えることで壁面，垂直面を構成し，梁と壁面との機能を併せ持つことができる，施工工程での精度も仕上がり強度，安定度も格段にアップし，個人個人の使用部位の自由選択により，目的用途と創作性の幅が広がる。
【０００８】
さらに，２枚の梁の隙間の補強材接合材の寸法を梁の上下寸法より浅くして隙間の凹部凸部を設け，この間に目地材または目地用パネルをはめ込むことで目地，壁などの垂直面が構成され，利用目的とデザインなどの自由度がさらに広がる。一方，併せ梁の隙間での目地，壁面利用はボーダーラインを併せ梁の中間で画定し，その囲いの中での板材またはパネル材の水平面利用を容易にした。すなわち囲いの中の併せ梁の天端に板材，パネル材を落とし込んで，またははめ込んで水平面を形成し，床，棚，天井他，組立家具その他の水平面材の構成を可能にした。
【０００９】
また，これらのシステムパーツは全てモジュール寸法によって予め工場加工され，原則的には現場での切断，穴開け，釘打ちなどの加工作業は一切伴わない組立作業だけとなっていてＤＩＹで誰でも楽しめるよう設計されている。
これによって，個人個人がそれぞれの目的用途デザインに沿ってバランス良く各システムパーツを配置し，着脱性よく好みのものを作りまた別のものに作り替えることができる仕組みを実現した。
【００１０】
そこで，まず図１，図２により請求項１の構成部材の配置と施工手順について実施の形態を説明する。併せ梁は細長材（１）とパネル（２）または細長材（１）２枚によって構成される。材料はいずれも天然木または合成木からなり天然木は自然保護の立場から間伐材などの有効利用が想定され，合成木の場合はリサイクル可能な材料が選定される。
まず，中間に所定のピッチで補強固定金物（６）取り付け用誘導穴（３２）が設けられ，これに補強固定金物（６）と同ねじ部（３２ａ）にネジ（３１）を用いて併せ梁を一体化する。この際この部分に他の併せ梁を接合する予定のあるときは接合金物（３）も同時に固定する。
なお，補強固定金物（６）は金属以外の他の材質に代えることもできる。
【００１１】
次に，両端にそれぞれ細長材の場合は各１個の貫通穴（４２），パネルの場合は四隅に各一個の貫通穴（４２）を設け，これに雌ねじつきボルト（４）を一方から通し片方から雄ネジ（４１）で仮止めする。
一方，接合金物（３）は柱，梁，壁面などへ，背面の貫通穴（３４）を通してネジ（３１）止めする。先に併せ梁の両端に仮止めした雌ねじつきボルト（４）と雄ネジ（４１）セットを接合金物（３）のボルト受け部（３５）に落とし込み掛けつりする。ボルトは接合金物の斜め欠きこみ部に沿って半円の受け部（３５）に落着し併せ梁の仮つけが終了する。
この間，併せ梁と柱などとの水平垂直度の微調整が行われる。
図１２請求項１の接合部要点左側面図，図１５請求項１の接合部要点右側面図，図１６請求項１，２の接合部要点各断面図Ｃ−Ｃ各参照
【００１２】
次に，ボルト押さえ（５）を併せ梁の間隙から接合金物（３）の背面及び両側面の内接面に沿ってはめ込み雌ねじつきボルト（４）を押さえ込む。
ボルト押さえ（５）は下部が末広がりで途中直線を形成し半円部（５１）でボルトの円形に沿って押さえ込むよう設計されている。
さらに接合金物取り付け用のネジ（３１）頭を避ける溝（５２）が前後両用に設けられていて，末広がり部から直線に沿って半円（５１）へと無理なくスムーズにはめ込まれ，かつ，くさび効果もあり，また，着脱性もあり，この時点で梁と柱などとの水平垂直の微調整がさらにすすむ。
ボルト押さえ（５）は硬質で強度がありかつリサイクル可能な材質の使用が予定されるが，金属加工品（５３）をこれに代えることもできる。この場合はバネ弾性のある材質でステンレス製か防錆処理の完全な材料を予定していて，目地材，パネル材との締め付けにはこの方がより効果的である。
最後に，併せ梁と柱などとの水平垂直度，部材の収まり具合などを確認して雄ネジ（４１）を雌ねじつきボルト（４）に締め込み併せ梁を固定する。
図１０請求項１の接合部要点平面図，図１３請求項１の接合部要点底面図，図１６請求項１，２の接合部要点各断面図Ａ−Ａ，Ｂ−Ｂ，Ｃ−Ｃ，Ｄ−Ｄ各参照
【００１３】
つぎに図３，４，５により請求項２，３について説明する。
まず，図３の請求項２，３の構成部材配置図においては，併せ梁の間隙及び併せ梁と補強固定金物（６），接合金物（３）に生じた隙間の凹部（１０ａ）に目地材（１１）をはめ込む。目地材（１１），水平面用パネル（２２），木板（１２）などは予め図４に示される仕上がり，柱，梁などとの収まりを考慮し必要な切り欠き加工などが行われている。
また水平面用パネル（２２）などの水平面材は，目地材（１１）などで囲われた梁の上端部（１ａ）または（２ａ）に落とし込み，またははめ込まれる。
この際床鳴り防止のため梁の上端（１ａ），（２ａ）または水平面パネル（２２）などの裏面にゴム質などの緩衝材を適宜用いることもある。
図４は図３の収まり図である。雄ネジ（４１）による併せ梁の締め込みは通常目地材（１１）などをセットした後行われる。
図５は請求項２のパネルの収まり図である。まず，下方の併せ梁（１）と（１）をセットし，その上端（１ａ），（１ａ）と補強固定金物（６），接合金物（３）との間に生じた隙間の凹部（１０ａ）に目地用パネル（２１）をはめ込み，その後上方の併せ梁（１）と（１）をセットしその下端（１ｂ），（１ｂ）と補強固定金物（６），接合金物（３）との間に生じた隙間の凸部（１０ｂ）に目地用パネル（２１）の上端を挟み込んでセットする。　この場合，作業は下方から順番に上方へ行われ，ボルト押さえ（５）のはめ込み調整後，雄ネジ（４１）の締めつけによって完了する。
併せ梁の間隙にはめ込む目地用パネル（２１）の締め付けにはボルト押さえ（５）に代えて金属加工品（５３）が締め付けにより効果的である。
図１１請求項１，２の接合部要点正面図，図１４請求項１，２の接合部要点背面図，図１６請求項１，２の接合部要点各断面図Ａ−Ａ，Ｄ−Ｄ及び図１各参照
【００１４】
つぎに，図６で請求項４の構成部材について説明する。請求項１，２の垂直面使用のパネル（２），目地用パネル（２１）を木または合成木枠（８）としこの枠内に意匠性，経済性を考慮して一般市販品からできるだけ広範の材料の中から選んではめ込み，可能な限りデザイン性と用途性を広げようとする試みである。
図には枠内に溝が施されているがその他の方法によってもよい。枠の構成も同様であり，完成品，ノックダウンも問わない。
【００１５】
図７は請求項４の垂直面使用の枠内の各種材料を予定する限り図示したものである。木板（８１），合板（８２），ボード（８３），ガラス板（８４），プラスチック板（８５），複合石板（８６），ネット（８７），ロッド（８８，）簀の子板またトラレス（８９）など
【００１６】
図８は請求項５の水平面使用の各種材料の種類を予定する限り図示したものである。図は図３，４の構成図に従い水平面を想定し柱とので合いを予定して切り欠き部を設けている。木板（８１），合板（８２），ボード（８３），ガラス板（８４），プラスチック板（８５），複合石板（８６），ネット（８７），ロッド（８８），簀の子板またはトラレス（８９）など。
図９は請求項６の各種柱を図示する。請求項１の併せ梁の接合を合理的に，より効率よく快適に行うため，また選択のバリエーションを広げるため予め柱（９）の種類を設定した。
天然木または合成木の一本もの（９１），角パイプの一本もの（９２），併せ梁と部材構成が同じに設定された柱用細長材（９３）と補強固定金物（６）の組み合わせもの，同（９３）と長尺角パイプ（９４）との組み合わせものなど，これらはいずれも柱（９）の中心部縦方向に，併せ梁取り付け用接合金物（３）の背面接合用貫通穴（３４）に対応する，誘導穴（３２），またはねじ穴（３２ａ）またはねじ込み穴（３２ｂ）を所定のピッチで設けている。
また，これらの柱（９）は通常，併せ梁の平面外幅寸法と同一寸法で，柱と梁の仕上がりに出入りの無いよう設定される。すなわち併せ梁プラス補強固定金物，または接合金物イコール柱（９）の外寸となる。
併せ梁と部材構成が同じに設定された柱用細長材（９３），補強固定金物（６），同長尺角パイプ（９４）の寸法は，この場合それぞれ短辺１に対し，長辺３の割合で設定され，柱（９）の外寸は一辺３となる。
【００１７】
図１０，図１１，図１２，図１３，図１４，図１５，図１６については，これまでの説明の中で参照としたので省略する。また図１７についても，従来の技術の中で説明したので省略する。
【００１８】
【発明の効果】
まず，請求項１の発明では，併せ梁の構成を細長材の一方をパネルとすることで，施工精度が上がり，構造が強化され，梁に壁面機能をもたせることになり使用目的用途が広がった。
また，併せ梁の接合を各部一点に集約し，各部一本でも丈夫な雌ねじつきボルトと雄ネジセットを使用し，併せ梁と共に接合金物の中心ボルト受け部へ自然に落着する仕掛けの掛けつり工法としたため，工数の合理化と仮つけによる一人作業が可能になった。
また，ワンタッチ着脱性のボルト押さえは，接合金物の内接面からボルトへのはめ込み作業と同時進行でくさび効果と，併せ梁と柱などとの垂直度水平度の修正効果をももたらした。
調整後の固定作業も各部一点に集約された雄ネジによって行われるため簡潔であり，また，ねじ締めはネジ部分に直接加重がかからない雌ねじつきボルトとのセット作業のためスムーズに行われる。
さらに，掛けつり工法と雄ネジによる一方向作業は足場の悪い場所などでの手前作業を可能にし施工作業中の危険予防となり，また外側からのネジ戻しによるいたずらなどへの予防対策にもなる。
また，平滑に近いネジ頭の使用で幼児などに安全で安心して利用でき用途範囲もさらに広がった。
移動，組み替えなどのための解体も，雄ネジを弛め梁の下端から木槌などで上向きに軽くたたいて戻し部材を傷つけることなく組立時の逆作業で順次スムーズに解体され，部材単位容積は小さくかさばらずコンパクトに保管され，または運搬され，部材の取り替えは最小部材単位で行われ，その加除により新たな設計施工への再使用，再々使用が可能で，ほぼ一生無駄なく繰り返し形を変えて楽しむことができる。
以上の点で請求項１は本発明全体の基盤構造である。
【００１９】
請求項２においては，併せ梁と補強固定金物，接合金物との間隙に，上下に間隙の凹部凸部を設け，これに目地材，パネルなどを垂直にはめ込みその上で雄ネジを締め込むことで，併せ梁の接合部分の雌ねじつきボルトの上方への戻りを抑える力をさらに強めることができる。
また，併せ梁の構造特徴を生かした間隙での目地処理方法は合理的で，境界線を梁の中間で画定し平面プランでの企画設計を単純化することに役立ち，間隙を利用してのパネルなどの垂直使用は間仕切り，引き戸などへ目的用途を一層広げるのに役だった。
また，併せ梁と補強固定金物，接合金物との間隙構造は配線ルートにもなり便利である。
【００２０】
請求項３においては，請求項２の目地材，パネルなどで画定された区画内の併せ梁の天端に木板またはパネルなどをはめ込むことで，原則的には水平面が釘，ネジを使わずワンタッチで形成される床，棚，天井などの構成が実現した。
区画内ではフリーアクセスとなり，また任意の区画で改め口となる。
【００２１】
請求項４にあっては，請求項１，２の垂直面に使用されるパネルを木枠または合成木枠とし，その枠内に各種材料をはめ込むことで壁，間仕切りなどへの使用目的用途がさらに広がる，また，各種材料は経済的な一般市販品の中から広範に求められ，購買者個人の好みの設計デザインにあわせＤＩＹの幅を一層ひろげることができる。
【００２２】
請求項５にあっては，請求項３の水平面に使用されるパネルを木板ほか各種材料とすることで，床，棚，天井などへの使用目的用途や個人のデザインの嗜好範囲をさらに広げて使用することができる。
【００２３】
請求項６にあっては，本発明の基盤である請求項１の併せ梁の接合を，購買者が使用目的用途に合わせより合理的な方法で実行し，また，構造体として考えられるあらゆる部位について，一貫した思想で統一された形での立体的なシステム材の提供を完結するため，数種類の柱を特定しその中からの各自の嗜好で選定する方法を提案した。
以上によって，購買者がインナー，アウターを問わずほぼ全てのジャンルの生活空間立体構成材として，個人の使用目的，用途，嗜好設計によって選択し，ＤＩＹで施工し，複合的，連続的，永続的に繰り返し使用しうるシステムパーツを実現した。
次に，本発明で組立使用が予想される構築物の一例をあげる。
まず，ホームインナー用としてイス，机，テーブル，パソコンラック，ＴＶ台，整理棚，書架，複合ＳＯＨＯなど，ベッド，二段ベッド，洋服掛け，複合ＬＯＦＴなど，ペット柵，水槽，同台など，間仕切り，スクリーンなど，これらは複合連結，天井部での対向連結などにより転倒防止効果もあり耐震策にもなる。
次に，ホームアウターとしては主にベランダ，テラス用として，ベンチ，デッキ，フェンス，花台，パーゴラ，サンルーム，コテッジ他ガーデニング用組立仮設材など。
さらに商業用として中重量物品棚，陳列台，同棚，同ケース，展示用小間，スタジオ用組立仮設材，その他各種創作用組立仮設材などなど。
【図面の簡単な説明】
【図１】請求項１の構成部材配置斜視図−１
【図２】請求項１の構成部材配置斜視図−２
【図３】請求項２，３の構成部材配置斜視図
【図４】請求項２，３の構成部材収まり斜視図
【図５】請求項２のパネルの収まり斜視図
【図６】請求項４の構成部材斜視図
【図７】請求項４の各種材料の斜視図
【図８】請求項５の各種材料の斜視図
【図９】請求項６の各種柱の斜視図
【図１０】請求項１の接合部要点平面図
【図１１】請求項１，２の接合部要点正面図
【図１２】請求項１の接合部要点左側面図
【図１３】請求項１の接合部要点底面図
【図１４】請求項１，２の接合部要点背面図
【図１５】請求項１の接合部要点右側面図
【図１６】請求項１，２の接合部要点各断面図
【図１７】従来品説明用参考図
【符号の説明】
１　　木または合成木細長材　　　　１ａ　細長材の梁の上端
１　　木または合成木細長材　　　　１ａ　細長材の梁の上端
１ｂ　細長材梁の下端　　　　　　　２　　木または合成木パネル
２ａ　パネルの梁の上端　　　　　　２ｂ　パネルの梁の下端
３　　接合金物　　　　　　　　　　４　　雌ねじつきボルト
５　　ボルト押さえ　　　　　　　　６　　補強固定金物
７　　水平面　　　　　　　　　　　８　　木または合成木枠
９　　柱　　　　　　　　　　　　１０　　垂直面
１０ａ　間隙の凹部　　　　　　　　１０ｂ　間隙の凸部
１１　　目地材　　　　　　　　　　１２　　水平面用板材
２１　　目地用パネル　　　　　　　２２　　水平面用パネル
３１　　接合金物固定用ネジ　　　　３２　　接合金物取付用の誘導穴
３２ａ　接合金物固定用のねじ穴　　３２ｂ　接合金物固定用ねじ込み穴
３３　　接合金物の前面開放部　　　３４　　接合金物背面の貫通穴
３５　　接合金物のボルト受け部　　４１　　雌ねじつきボルト用雄ネジ
４２　　併せ梁の両端の貫通穴　　　５１　　ボルト押さえの欠き取り部
５２　　ボルト押さえのネジ頭避け溝７１　　イス
７２　　机　　　　　　　　　　　　７３　　床
７４　　棚　　　　　　　　　　　　７５　　天井
８１　　木板　　　　　　　　　　　８２　　合板
８３　　ボード　　　　　　　　　　８４　　ガラス板
８５　　プラスチック板　　　　　　８６　　複合石板
８７　　ネット　　　　　　　　　　８８　　ロッド
８９　　簀の子板またはトラレス　　９１　　木または合成木柱の一本もの
９２　　角パイプの一本もの　　　　９３　　木または合成木の細長材
９４　　角パイプの長尺もの
【図１】
2004011404.tif 000003
【図２】
2004011404.tif 000004
【図３】
2004011404.tif 000005
【図４】
2004011404.tif 000006
【図５】
2004011404.tif 000007
【図６】
2004011404.tif 000008
【図７】
2004011404.tif 000009
【図８】
2004011404.tif 000010
【図９】
2004011404.tif 000011
【図１０】
2004011404.tif 000012
【図１１】
2004011404.tif 000013
【図１２】
2004011404.tif 000014
【図１３】
2004011404.tif 000015
【図１４】
2004011404.tif 000016
【図１５】
2004011404.tif 000017
【図１６】
2004011404.tif 000018
【図１７】
2004011404.tif 000019
【手続補正書】
【提出日】平成14年9月5日(2002.9.5)
【手続補正１】
【補正対象書類名】図面
【補正対象項目名】図１
【補正方法】変更
【補正の内容】
【図１】
2004011404.tif 000020